(57)【要約】【課題】  遊びながら、楽しく面白く文字を学習することができるダーツゲーム具を提供する。【解決手段】  学習用の文字１を表示しかつ磁性膜体23を有する標的２と、マグネット部を有し標的２に着脱自在である投げ矢３を備える。標的２が、磁性膜体23から成る標的本体７と、標的本体７の上端縁部に略円筒状のかしめ部材による連結部をもって連結されて左辺26・右辺27・下辺28の三辺から差込可能な差込部を形成する透明保護シート30と、標的本体７の上端縁部と透明保護シート30の上端縁部を差込むスリットを有する中空杆状吊りバー32と、学習用の文字１を表示するとともに差込部に差し抜き自在に差し込まれる学習シート体15と、標的本体７に吸着されて学習シート体15を標的本体７に保持するための磁性押え部材33と、を備える。連結部の厚さ寸法をスリットの幅寸法より大きく設定して連結部がスリットに中空杆状吊りバー32の内側から引掛かるように構成した。【選択図】  図１
0003114654.tif 000002
【実用新案登録請求の範囲】
【請求項１】
学習用の文字（１）を表示しかつ磁性膜体（23）を有する標的（２）と、マグネット部（９）を有し上記標的（２）に着脱自在である投げ矢（３）を備えたダーツゲーム具であって、
上記標的（２）が、上記磁性膜体（23）から成る標的本体（７）と、該標的本体（７）の上端縁部（７ｂ）に連結されて左辺（26）・右辺（27）・下辺（28）の三辺から差込可能な差込部（29）を形成する透明保護シート（30）と、学習用の文字（１）を表示するとともに上記差込部（29）に差し抜き自在に差し込まれる学習シート体（15）と、上記標的本体（７）に吸着されて該学習シート体（15）を上記標的本体（７）に保持するための磁性押え部材（33）と、を備えたことを特徴とするダーツゲーム具。
【請求項２】
学習用の文字（１）を表示しかつ磁性膜体（23）を有する標的（２）と、マグネット部（９）を有し上記標的（２）に着脱自在である投げ矢（３）を備えたダーツゲーム具であって、
上記標的（２）が、上記磁性膜体（23）から成る標的本体（７）と、該標的本体（７）の上端縁部（７ｂ）に連結部（25）をもって連結されて左辺（26）・右辺（27）・下辺（28）の三辺から差込可能な差込部（29）を形成する透明保護シート（30）と、上記標的本体（７）の上端縁部（７ｂ）と上記透明保護シート（30）の上端縁部（30ｂ）を差込むスリット（31）を有する中空杆状吊りバー（32）と、学習用の文字（１）を表示するとともに上記差込部（29）に差し抜き自在に差し込まれる学習シート体（15）と、上記標的本体（７）に吸着されて該学習シート体（15）を上記標的本体（７）に保持するための磁性押え部材（33）と、を備え、
上記連結部（25）の厚さ寸法（Ｔ）を上記スリット（31）の幅寸法（Ｗ）より大きく設定して上記連結部（25）が上記スリット（31）に上記中空杆状吊りバー（32）の内側から引掛かるように構成したことを特徴とするダーツゲーム具。
【請求項３】
学習用の文字（１）を表示しかつ磁性膜体（23）を有する標的（２）と、マグネット部（９）を有し上記標的（２）に着脱自在である投げ矢（３）を備えたダーツゲーム具であって、
上記標的（２）が、上記磁性膜体（23）から成る標的本体（７）と、該標的本体（７）の上端縁部（７ｂ）に略円筒状のかしめ部材（24）による連結部（25）をもって連結されて左辺（26）・右辺（27）・下辺（28）の三辺から差込可能な差込部（29）を形成する透明保護シート（30）と、上記標的本体（７）の上端縁部（７ｂ）と上記透明保護シート（30）の上端縁部（30ｂ）を差込むスリット（31）を有する中空杆状吊りバー（32）と、学習用の文字（１）を表示するとともに上記差込部（29）に差し抜き自在に差し込まれる学習シート体（15）と、上記標的本体（７）に吸着されて該学習シート体（15）を上記標的本体（７）に保持するための磁性押え部材（33）と、を備え、
上記連結部（25）の厚さ寸法（Ｔ）を上記スリット（31）の幅寸法（Ｗ）より大きく設定して上記連結部（25）が上記スリット（31）に上記中空杆状吊りバー（32）の内側から引掛かるように構成したことを特徴とするダーツゲーム具。
【請求項４】
学習用の文字（１）を表示しかつ磁性膜体（23）を有する標的（２）と、マグネット部（９）を有し上記標的（２）に着脱自在である投げ矢（３）を備えたダーツゲーム具であって、
上記標的（２）が、上記磁性膜体（23）から成る標的本体（７）と、該標的本体（７）の上端縁部（７ｂ）に連結されて左辺（26）・右辺（27）・下辺（28）の三辺から差込可能な差込部（29）を形成する透明保護シート（30）と、学習用の文字（１）を表示するとともに上記差込部（29）に差し抜き自在に差し込まれる学習シート体（15）と、上記標的本体（７）に吸着されて該学習シート体（15）を上記標的本体（７）に保持するための磁性押え部材（33）と、を備え、
上記標的本体（７）が、カレンダー（Ｃ）を構成する日付列（Ｄ）と曜日列（Ａ）の一方を表示するとともに、上記磁性押え部材（33）が、上記日付列（Ｄ）と曜日列（Ａ）の他方を、上記標的本体（７）の日付列（Ｄ）又は曜日列（Ａ）と同一の文字間隔寸法（ｈ）にて表示して、上記標的本体（７）に上記磁性押え部材（33）を各月の日付（Ｄ0 ）と曜日（Ａ0 ）を対応させて吸着可能に構成したことを特徴とするダーツゲーム具。
【考案の詳細な説明】
【技術分野】
【０００１】
本考案は、ダーツゲーム具に関する。
【背景技術】
【０００２】
一般に、子供が文字（ひらがな、カタカナ、漢字、アルファベット、数字等）を学習するには、それらの一覧表（例えば、50音表）を見て、それを読んだり、練習帳に書いたりすることにより、学習する（例えば、特許文献１参照）。
【０００３】
しかし、その読み書きの作業は、単調であって、面白みに欠けていた。
【特許文献１】特開２００４−６９７９９号公報
【考案の開示】
【考案が解決しようとする課題】
【０００４】
解決しようとする課題は、遊びながら文字を学習することができない点である。
【課題を解決するための手段】
【０００５】
そこで、本考案に係るダーツゲーム具は、学習用の文字を表示しかつ磁性膜体を有する標的と、マグネット部を有し上記標的に着脱自在である投げ矢を備えたダーツゲーム具であって、上記標的が、上記磁性膜体から成る標的本体と、該標的本体の上端縁部に連結されて左辺・右辺・下辺の三辺から差込可能な差込部を形成する透明保護シートと、学習用の文字を表示するとともに上記差込部に差し抜き自在に差し込まれる学習シート体と、上記標的本体に吸着されて該学習シート体を上記標的本体に保持するための磁性押え部材と、を備えたものである。
【０００６】
また、学習用の文字を表示しかつ磁性膜体を有する標的と、マグネット部を有し上記標的に着脱自在である投げ矢を備えたダーツゲーム具であって、上記標的が、上記磁性膜体から成る標的本体と、該標的本体の上端縁部に連結部をもって連結されて左辺・右辺・下辺の三辺から差込可能な差込部を形成する透明保護シートと、上記標的本体の上端縁部と上記透明保護シートの上端縁部を差込むスリットを有する中空杆状吊りバーと、学習用の文字を表示するとともに上記差込部に差し抜き自在に差し込まれる学習シート体と、上記標的本体に吸着されて該学習シート体を上記標的本体に保持するための磁性押え部材と、を備え、上記連結部の厚さ寸法を上記スリットの幅寸法より大きく設定して上記連結部が上記スリットに上記中空杆状吊りバーの内側から引掛かるように構成したものである。
【０００７】
また、学習用の文字を表示しかつ磁性膜体を有する標的と、マグネット部を有し上記標的に着脱自在である投げ矢を備えたダーツゲーム具であって、上記標的が、上記磁性膜体から成る標的本体と、該標的本体の上端縁部に略円筒状のかしめ部材による連結部をもって連結されて左辺・右辺・下辺の三辺から差込可能な差込部を形成する透明保護シートと、上記標的本体の上端縁部と上記透明保護シートの上端縁部を差込むスリットを有する中空杆状吊りバーと、学習用の文字を表示するとともに上記差込部に差し抜き自在に差し込まれる学習シート体と、上記標的本体に吸着されて該学習シート体を上記標的本体に保持するための磁性押え部材と、を備え、上記連結部の厚さ寸法を上記スリットの幅寸法より大きく設定して上記連結部が上記スリットに上記中空杆状吊りバーの内側から引掛かるように構成したものである。
【０００８】
また、学習用の文字を表示しかつ磁性膜体を有する標的と、マグネット部を有し上記標的に着脱自在である投げ矢を備えたダーツゲーム具であって、上記標的が、上記磁性膜体から成る標的本体と、該標的本体の上端縁部に連結されて左辺・右辺・下辺の三辺から差込可能な差込部を形成する透明保護シートと、学習用の文字を表示するとともに上記差込部に差し抜き自在に差し込まれる学習シート体と、上記標的本体に吸着されて該学習シート体を上記標的本体に保持するための磁性押え部材と、を備え、上記標的本体が、カレンダーを構成する日付列と曜日列の一方を表示するとともに、上記磁性押え部材が、上記日付列と曜日列の他方を、上記標的本体の日付列又は曜日列と同一の文字間隔寸法にて表示して、上記標的本体に上記磁性押え部材を各月の日付と曜日を対応させて吸着可能に構成したものである。
【考案の効果】
【０００９】
本考案のダーツゲーム具によれば、遊びながら楽しくかつ面白く文字を学習することができる。また、簡易な構成なので、容易に製造することができる。さらに、収納スペースが小さくて済み、至便である。また、学習シート体の交換が極めて容易に行ない得る。また、吊りバーに対して、簡単に標的本体と透明保護シートを組立てることができ、しかも、不意に分離する虞れもない。
【考案を実施するための最良の形態】
【００１０】
図１・図２は、本考案の第１の実施の形態の使用状態を示す。このダーツゲーム具は、幼稚園児や小学生等が文字を覚えるためのものであって、学習用の文字１（ひらがな）を（例えば印刷により）表示する標的２と、標的２に着脱自在な投げ矢（ダーツ）３を備えている。標的２と投げ矢３は、磁力によって着脱自在に構成されている（詳細は、後述する）。垂直壁面（図示省略）に標的２を設置し（例えば、掛け紐20を垂直壁面に固着した釘に掛設し）、所定間隔離れた位置から投げ矢３を投げて、標的２に付着させて遊ぶ（具体的な遊び方ルールについては、後述する）。
【００１１】
標的２は、磁性膜体23から成る標的本体７を備える。本考案に於て、磁性膜体は、例えば、鉄粉シート、ゴム磁石、プラスチック磁石等から成る。
標的２は、標的本体７の上端縁部７ｂに連結部25をもって連結されて左辺26・右辺27・下辺28の三辺から（後述の学習シート体15や磁性押え部材33を）差込可能な差込部29を形成する樹脂製透明保護シート30を有する。すなわち、上記三辺は、開放状とされている。  標的２は、標的本体７の上端縁部７ｂと透明保護シート30の上端縁部30ｂを差込むスリット31を有する金属製又は樹脂製の中空杆状吊りバー32を、備える。
【００１２】
標的２は、学習用の文字１を表示するとともに差込部29に差し抜き自在に差し込まれる紙製又は樹脂製の学習シート体15と、標的本体７に吸着されて学習シート体15を標的本体７に保持する───すなわち、学習シート体15がずれたり落下したりしないように固定する───ための上下計３枚の帯状磁性押え部材33と、を備える。上側に吸着している磁性押え部材33は、点数表示部18を表示する。点数表示部18に点数マグネット19が吸着分離自在に構成されている。
図２・図３に示すように、投げ矢３は、円柱型マグネット部９を有する。
【００１３】
図４に示すように、標的本体７の上端縁部７ｂと透明保護シート30の上端縁部30ｂは、略円筒状のかしめ部材24による連結部25をもって連結されている。連結部25の厚さ寸法Ｔがスリット31の幅寸法Ｗより大きく設定されて、連結部25がスリット31に中空杆状吊りバー32の内側から引掛かるように構成されている。
【００１４】
図１・図２に戻って、標的本体７が、カレンダーＣを構成する日付列Ｄを（例えば印刷により）表示する。下側に吸着している磁性押え部材33が、曜日列Ａを、標的本体７の日付列Ｄと同一の文字間隔寸法ｈにて表示し、標的本体７に磁性押え部材33を各月の日付Ｄ0 と曜日Ａ0 を対応させて吸着可能に構成されている。
【００１５】
図５は、第２の実施の形態を示す。標的本体７の上端縁部７ｂと透明保護シート30の上端縁部30ｂは、縫製糸34による連結部25をもって連結されている。
【００１６】
図６〜図８は、第３の実施の形態を示す。透明保護シート30が、枠組み17を表示する。そして、学習シート体15は、透明保護シート30の裏面30ａ（図２参照）側に重ねられて枠組み17内に学習用の文字１を表示するように構成されている。
透明保護シート30が、点数表示部18を表示する。磁性押え部材33が透明材料から成る。
【００１７】
図９・図10は、第４の実施の形態を示す。学習シート体15が、学習用の文字１、枠組み17、及び、点数表示部18を表示するとともに、透明保護シート30が、何も表示しない全くの透明とされる。
【００１８】
図11は、第５の実施の形態を示す。標的本体７（図２参照）の上端縁部７ｂ、及び、透明保護シート30の上端縁部30ｂに、掛け紐20が挿通されている。
【００１９】
次に、第１の実施の形態の遊び方のルールの概略を説明する。（なお、他の実施の形態の遊び方のルールの概略も以下と同様である。）
まず、用語を記載する。例えば、「くるま、ぼうし、りんご、いえ、たまご」と記載する。参加者は、ひとり２本ずつダーツ３を使用し、ひとり２投ずつ順番に、ダーツ３を標的に投げて、付着させる（狙い得る）。
２投で狙い得た文字１が、上記用語のうち同一の用語に含まれる２文字である場合に、得点とする。例えば、１投目で「た」、２投目で「ま」を狙い得た場合、「たまご」をビンゴできたとして得点とする。
参加者全員に所定回数（例えば、２投×12回）ずつ順番が回ったときに、得点の多い人を勝者とする。
学習効果としては、ひらがなを覚えることができる。
【００２０】
本考案は、設計変更自在であって、例えば、標的本体７の上端縁部７ｂと透明保護シート30の上端縁部30ｂを、接着や凹凸形状等によって連結するも良い。すなわち、連結部25の連結構造は、どのようなものであっても良い。また、磁性押え部材33を透明保護シート30に貼着等により一体化させておくも好ましい。すなわち、容易に学習シート体15を保持することができるとともに、磁性押え部材33を紛失するのを防止することができる。また、磁性押え部材33の枚数は、２枚や４枚以上であっても良い。磁性押え部材33の枚数が多いほど、より確実に学習シート体15を保持することができる。また、磁性押え部材33が点数表示部18を表示する場合、ゲームをする人数に合わせて増減させることができる。また、磁性押え部材33の使用方法として、標的本体７の上側又は下側のいずれかのみに吸着させるも良い。また、磁性押え部材33を、標的本体７と透明保護シート30の間に付設するも良い。
【００２１】
また、標的本体７が点数表示部18を表示するも良い。この場合、学習シート体15を、点数表示部18と重ならないように差込み可能な大きさに設定する。また、文字１の表示形式、点数表示部18の表示形式、及び、遊び方ルールは、自由に設定することができる。また、標的本体７がカレンダーＣを構成する曜日列Ａを表示するとともに、磁性押え部材33が日付列Ｄを表示するも良い。
【００２２】
以上のように、本考案は、学習用の文字１を表示しかつ磁性膜体23を有する標的２と、マグネット部９を有し標的２に着脱自在である投げ矢３を備えたダーツゲーム具であって、標的２が、磁性膜体23から成る標的本体７と、標的本体７の上端縁部７ｂに連結されて左辺26・右辺27・下辺28の三辺から差込可能な差込部29を形成する透明保護シート30と、学習用の文字１を表示するとともに差込部29に差し抜き自在に差し込まれる学習シート体15と、標的本体７に吸着されて学習シート体15を標的本体７に保持するための磁性押え部材33と、を備えたので、遊びながら楽しくかつ面白く文字を学習することができる。特に、幼稚園児や小学生のような幼少の子供たちにとって、大きな効果が期待できる。また、様々な学習シート体15を随時交換して遊ぶことにより、多くの文字を学ぶことができる。特に、利用者の年齢にあった学習ができる。また、学習シート体15を差込部29に容易に抜き差しして交換を容易に行なうことができる。また、標的本体７を交換する必要がないので、経済的である。また、全体的に（すなわち、標的本体７や透明保護シート30等に）可撓性があるので、全体を二つ折りや巻物状として、小スペースに収納することができる。また、ゲームをしない間は、差込部29に、ポスター、絵画、雑誌の切抜き、パンフレット、景品表等を差し込み、インテリアの一部として鑑賞したり、それらを標的として楽しむことができる。
【００２３】
また、学習用の文字１を表示しかつ磁性膜体23を有する標的２と、マグネット部９を有し標的２に着脱自在である投げ矢３を備えたダーツゲーム具であって、標的２が、磁性膜体23から成る標的本体７と、標的本体７の上端縁部７ｂに連結部25をもって連結されて左辺26・右辺27・下辺28の三辺から差込可能な差込部29を形成する透明保護シート30と、標的本体７の上端縁部７ｂと透明保護シート30の上端縁部30ｂを差込むスリット31を有する中空杆状吊りバー32と、学習用の文字１を表示するとともに差込部29に差し抜き自在に差し込まれる学習シート体15と、標的本体７に吸着されて学習シート体15を標的本体７に保持するための磁性押え部材33と、を備え、連結部25の厚さ寸法Ｔをスリット31の幅寸法Ｗより大きく設定して連結部25がスリット31に中空杆状吊りバー32の内側から引掛かるように構成したので、遊びながら楽しくかつ面白く文字を学習することができる。特に、幼稚園児や小学生のような幼少の子供たちにとって、大きな効果が期待できる。また、様々な学習シート体15を随時交換して遊ぶことにより、多くの文字を学ぶことができる。特に、利用者の年齢にあった学習ができる。また、学習シート体15を差込部29に容易に抜き差しして交換を容易に行なうことができる。また、標的本体７を交換する必要がないので、経済的である。さらに、中空杆状吊りバー32によって、標的本体７や透明保護シート30等の形状を保持することができるとともに、外観も良い。また、全体的に（すなわち、標的本体７や透明保護シート30等に）可撓性があるので、全体を二つ折りや巻物状として、小スペースに収納することができる。また、ゲームをしない間は、差込部29に、ポスター、絵画、雑誌の切抜き、パンフレット、景品表等を差し込み、インテリアの一部として鑑賞したり、それらを標的として楽しむことができる。
【００２４】
また、学習用の文字１を表示しかつ磁性膜体23を有する標的２と、マグネット部９を有し標的２に着脱自在である投げ矢３を備えたダーツゲーム具であって、標的２が、磁性膜体23から成る標的本体７と、標的本体７の上端縁部７ｂに略円筒状のかしめ部材24による連結部25をもって連結されて左辺26・右辺27・下辺28の三辺から差込可能な差込部29を形成する透明保護シート30と、標的本体７の上端縁部７ｂと透明保護シート30の上端縁部30ｂを差込むスリット31を有する中空杆状吊りバー32と、学習用の文字１を表示するとともに差込部29に差し抜き自在に差し込まれる学習シート体15と、標的本体７に吸着されて学習シート体15を標的本体７に保持するための磁性押え部材33と、を備え、連結部25の厚さ寸法Ｔをスリット31の幅寸法Ｗより大きく設定して連結部25がスリット31に中空杆状吊りバー32の内側から引掛かるように構成したので、遊びながら楽しくかつ面白く文字を学習することができる。特に、幼稚園児や小学生のような幼少の子供たちにとって、大きな効果が期待できる。また、様々な学習シート体15を随時交換して遊ぶことにより、多くの文字を学ぶことができる。特に、利用者の年齢にあった学習ができる。また、学習シート体15を差込部29に容易に抜き差しして交換を容易に行なうことができる。また、標的本体７を交換する必要がないので、経済的である。さらに、中空杆状吊りバー32によって、標的本体７や透明保護シート30等の形状を保持することができるとともに、外観も良い。また、かしめ部材24によって、確実に標的本体７と透明保護シート30を連結することができるとともに、容易に製造することができる。また、全体的に（すなわち、標的本体７や透明保護シート30等に）可撓性があるので、全体を二つ折りや巻物状として、小スペースに収納することができる。また、ゲームをしない間は、差込部29に、ポスター、絵画、雑誌の切抜き、パンフレット、景品表等を差し込み、インテリアの一部として鑑賞したり、それらを標的として楽しむことができる。
【００２５】
また、学習用の文字１を表示しかつ磁性膜体23を有する標的２と、マグネット部９を有し標的２に着脱自在である投げ矢３を備えたダーツゲーム具であって、標的２が、磁性膜体23から成る標的本体７と、標的本体７の上端縁部７ｂに連結されて左辺26・右辺27・下辺28の三辺から差込可能な差込部29を形成する透明保護シート30と、学習用の文字１を表示するとともに差込部29に差し抜き自在に差し込まれる学習シート体15と、標的本体７に吸着されて学習シート体15を標的本体７に保持するための磁性押え部材33と、を備え、標的本体７が、カレンダーＣを構成する日付列Ｄと曜日列Ａの一方を表示するとともに、磁性押え部材33が、日付列Ｄと曜日列Ａの他方を、標的本体７の日付列Ｄ又は曜日列Ａと同一の文字間隔寸法ｈにて表示して、標的本体７に磁性押え部材33を各月の日付Ｄ0 と曜日Ａ0 を対応させて吸着可能に構成したので、遊びながら楽しくかつ面白く文字を学習することができる。特に、幼稚園児や小学生のような幼少の子供たちにとって、大きな効果が期待できる。また、様々な学習シート体15を随時交換して遊ぶことにより、多くの文字を学ぶことができる。特に、利用者の年齢にあった学習ができる。また、学習シート体15を差込部29に容易に抜き差しして交換を容易に行なうことができる。また、標的本体７を交換する必要がないので、経済的である。さらに、各月のカレンダーＣを表示することができ、至便である。特に、最小限のスペースで各月のカレンダーＣを表示することができる。また、全体的に（すなわち、標的本体７や透明保護シート30等に）可撓性があるので、全体を二つ折りや巻物状として、小スペースに収納することができる。また、ゲームをしない間は、差込部29に、ポスター、絵画、雑誌の切抜き、パンフレット、景品表等を差し込み、インテリアの一部として鑑賞したり、それらを標的として楽しむことができる。
【図面の簡単な説明】
【００２６】
【図１】本考案の第１の実施の形態の使用状態を示す正面図である。
【図２】図１のＸ−Ｘ断面図である。
【図３】投げ矢を示す斜視図である。
【図４】要部拡大断面図である。
【図５】第２の実施の形態を示す要部拡大断面図である。
【図６】第３の実施の形態を示す正面図である。
【図７】透明保護シートを示す正面図である。
【図８】学習シート体を示す正面図である。
【図９】第４の実施の形態の透明保護シートを示す正面図である。
【図１０】学習シート体を示す正面図である。
【図１１】第５の実施の形態を示す正面図である。
【符号の説明】
【００２７】
１  文字
２  標的
３  投げ矢
７  標的本体
７ｂ  上端縁部
９  マグネット部
15  学習シート体
23  磁性膜体
24  かしめ部材
25  連結部
26  左辺
27  右辺
28  下辺
29  差込部
30  透明保護シート
30ｂ  上端縁部
31  スリット
32  吊りバー
33  磁性押え部材
Ａ  曜日列
Ａ0   曜日
Ｃ  カレンダー
Ｄ  日付列
Ｄ0   日付
ｈ  文字間隔寸法
Ｔ  厚さ寸法
Ｗ  幅寸法
【図１】
0003114654.tif 000003
【図２】
0003114654.tif 000004
【図３】
0003114654.tif 000005
【図４】
0003114654.tif 000006
【図５】
0003114654.tif 000007
【図６】
0003114654.tif 000008
【図７】
0003114654.tif 000009
【図８】
0003114654.tif 000010
【図９】
0003114654.tif 000011
【図１０】
0003114654.tif 000012
【図１１】
0003114654.tif 000013